【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
被検体に照射するためにＸ線を発生する第１Ｘ線管と、
前記被検体を透過したＸ線を検出する第１Ｘ線検出器と、
前記被検体の治療対象に照射するためのＸ線を発生する第２Ｘ線管と、
前記第１Ｘ線管、前記第１Ｘ線検出器及び前記第２Ｘ線管を前記被検体回りに回転する回転機構と、
前記第１Ｘ線検出器で検出されたデータに基づいて画像を再構成する再構成ユニットと、
前記第２Ｘ線管からのＸ線の中心軸が前記被検体の体軸に対して傾斜するように前記第２Ｘ線管を支持する支持機構とを具備するＸ線コンピュータトモグラフィ装置。
【請求項２】
前記支持機構は、前記第２Ｘ線管を前記被検体の体軸に沿って移動自在に支持する請求項１記載のＸ線コンピュータトモグラフィ装置。
【請求項３】
前記第１Ｘ線管からのＸ線を絞るための幅が第１範囲で可変の開口を有する第１Ｘ線コリメータと、前記第２Ｘ線管からのＸ線を絞るための幅が前記第１範囲よりも広い第２範囲で可変の開口を有する第２Ｘ線コリメータとをさらに備える請求項１記載のＸ線コンピュータトモグラフィ装置。
【請求項４】
前記第１Ｘ線管に電力を第１範囲内で選択的に供給し、前記第２Ｘ線管に電力を前記第１範囲より広い第２範囲内で選択的に供給するように構成された高電圧発生装置をさらに備える請求項１記載のＸ線コンピュータトモグラフィ装置。
【請求項５】
前記第２Ｘ線管に対応する第２Ｘ線検出器をさらに備える請求項１記載のＸ線コンピュータトモグラフィ装置。
【請求項６】
被検体に照射するためのＸ線を発生する第１Ｘ線管と、
前記被検体を透過したＸ線を検出する第１Ｘ線検出器と、
前記被検体の治療対象に照射するためのＸ線を発生する第２Ｘ線管と、
前記第２Ｘ線管からのＸ線を絞るための幅及び位置が可変の開口を有する第２Ｘ線コリメータと、
前記第１Ｘ線管装置、前記第１Ｘ線検出器及び前記第２Ｘ線管装置を前記被検体回りに回転する回転機構と、
前記第１Ｘ線管装置及び前記第１Ｘ線検出器の回転と並行して、前記Ｘ線検出器で検出されたデータに基づく画像の再構成を繰り返す再構成ユニットと、
前記画像から前記治療対象の領域を繰り返し抽出する画像処理部と、
前記抽出された前記治療対象の領域に基づいて前記Ｘ線コリメータの開口を、前記第２Ｘ線管の回転に伴って動的に変化させる制御部とを具備するＸ線コンピュータトモグラフィ装置。
【請求項７】
前記第１Ｘ線管が、前記第２Ｘ線管より先行して回転するように前記第１Ｘ線管に対して前記第２Ｘ線管がアレンジされている請求項６記載のＸ線コンピュータトモグラフィ装置。
【請求項８】
前記制御部は、前記Ｘ線コリメータの開口の中心位置と幅との少なくとも一方を動的に変化させる請求項６記載のＸ線コンピュータトモグラフィ装置。
【請求項９】
前記第１Ｘ線管からのＸ線を絞るための幅が可変の開口を有する第１Ｘ線コリメータをさらに備え、前記第１Ｘ線コリメータの開口の可変範囲は、前記第２Ｘ線コリメータの開口の可変範囲よりも狭い請求項６記載のＸ線コンピュータトモグラフィ装置。
【請求項１０】
前記第１Ｘ線管からのＸ線が前記被検体の断面全域をカバーするように前記第１Ｘ線コリメータの開口が設定され、前記第２Ｘ線管からのＸ線が前記被検体の治療対象に実質的に限定して照射されるように前記第２Ｘ線コリメータの開口が前記第１Ｘ線コリメータの開口より狭く設定される請求項９記載のＸ線コンピュータトモグラフィ装置。
【請求項１１】
前記第２Ｘ線管に対応する第２Ｘ線検出器をさらに備える請求項６記載のＸ線コンピュータトモグラフィ装置。
【請求項１２】
被検体に照射するためのＸ線を発生する第１Ｘ線管と、
前記被検体を透過したＸ線を検出する第１Ｘ線検出器と、
前記被検体に照射するためのＸ線を発生する第２Ｘ線管と、
前記第１Ｘ線管に電力を第１範囲内で供給し、前記第２Ｘ線管に電力を前記第１範囲より広い第２範囲内で供給する高電圧発生装置とを具備するＸ線コンピュータトモグラフィ装置。
【請求項１３】
前記第１Ｘ線管からのＸ線を絞るための幅が可変の開口を有する第１Ｘ線コリメータと、前記第２Ｘ線管からのＸ線を絞るための幅が可変の開口を有する第２Ｘ線コリメータとをさらに備え、前記第２Ｘ線コリメータの開口の可変範囲は、前記第１Ｘ線コリメータの開口の可変範囲よりも広い請求項１２記載のＸ線コンピュータトモグラフィ装置。
【請求項１４】
前記第１Ｘ線管からのＸ線が前記被検体の断面全域をカバーするように前記第１Ｘ線コリメータの開口が設定され、前記第２Ｘ線管からのＸ線が前記被検体の治療対象に実質的に限定して照射されるように前記第２Ｘ線コリメータの開口が前記第１Ｘ線コリメータの開口より狭く設定される請求項１４記載のＸ線コンピュータトモグラフィ装置。
【請求項１５】
前記第２Ｘ線管に対応する第２Ｘ線検出器をさらに備える請求項１２記載のＸ線コンピュータトモグラフィ装置。
【請求項１６】
被検体に照射するためのＸ線を発生する第１Ｘ線管と、
前記被検体を透過したＸ線を検出する第１Ｘ線検出器と、
前記被検体に照射するためのＸ線を発生する第２Ｘ線管と、
前記第１Ｘ線管からのＸ線を絞るための幅が第１範囲で可変の開口を有する第１Ｘ線コリメータと、
前記第２Ｘ線管からのＸ線を絞るための幅が前記第１範囲よりも広い第２範囲で可変の開口を有する第２Ｘ線コリメータとを具備するＸ線コンピュータトモグラフィ装置。
【請求項１７】
前記第２Ｘ線コリメータの開口の最小幅は、前記第１Ｘ線コリメータの開口の最小幅よりも狭い請求項１６記載のＸ線コンピュータトモグラフィ装置。
【請求項１８】
前記第２Ｘ線コリメータの開口の最大幅は、前記第１Ｘ線コリメータの開口の最大幅と略等価である請求項１６記載のＸ線コンピュータトモグラフィ装置。
【請求項１９】
前記第２Ｘ線管に対応する第２Ｘ線検出器をさらに備える請求項１６記載のＸ線コンピュータトモグラフィ装置。
【手続補正２】
【補正対象書類名】明細書
【補正対象項目名】０００５
【補正方法】変更
【補正の内容】
【０００５】
【課題を解決するための手段】
本発明の第１局面に係るＸ線コンピュータ断層撮影装置は、被検体に照射するためのＸ線を発生するように構成された第１Ｘ線管と、前記被検体を透過したＸ線を検出するように構成された第１Ｘ線検出器と、前記被検体の治療対象に照射するためのＸ線を発生する第２Ｘ線管と、前記第１Ｘ線管、前記第１Ｘ線検出器及び前記第２Ｘ線管を前記被検体回りに回転する回転機構と、前記第１Ｘ線検出器で検出されたデータに基づいて画像を再構成するように構成された再構成ユニットと、前記第２Ｘ線管からのＸ線の中心軸が前記被検体の体軸に対して傾斜するように前記第２Ｘ線管を支持するように構成された支持機構とを具備する。  
本発明の第２局面に係るＸ線コンピュータ断層撮影装置は、被検体に照射するためのＸ線を発生するように構成された第１Ｘ線管と、前記被検体を透過したＸ線を検出するように構成された第１Ｘ線検出器と、前記被検体の治療対象に照射するためのＸ線を発生するように構成された第２Ｘ線管と、前記第２Ｘ線管からのＸ線を絞るための幅及び位置が可変の開口を有する第２Ｘ線コリメータと、前記第１Ｘ線管装置、前記第１Ｘ線検出器及び前記第２Ｘ線管装置を前記被検体回りに回転する回転機構と、前記第１Ｘ線管装置及び前記第１Ｘ線検出器の回転と並行して、前記Ｘ線検出器で検出されたデータに基づく画像の再構成を繰り返すように構成された再構成ユニットと、前記画像から前記治療対象の領域を繰り返し抽出するように構成された画像処理部と、前記抽出された前記治療対象の領域に基づいて前記Ｘ線コリメータの開口を、前記第２Ｘ線管の回転に伴って動的に変化させるように構成された制御部とを具備する。  
本発明の第３局面に係るＸ線コンピュータ断層撮影装置は、被検体に照射するためのＸ線を発生するように構成された第１Ｘ線管と、前記被検体を透過したＸ線を検出するように構成された第１Ｘ線検出器と、前記被検体に照射するためのＸ線を発生するように構成された第２Ｘ線管と、前記第１Ｘ線管に電力を第１範囲内で供給し、前記第２Ｘ線管に電力を前記第１範囲より広い第２範囲内で供給するように構成された高電圧発生装置とを具備する。  
本発明の第４局面に係るＸ線コンピュータ断層撮影装置は、被検体に照射するためのＸ線を発生するように構成された第１Ｘ線管と、前記被検体を透過したＸ線を検出するように構成された第１Ｘ線検出器と、前記被検体に照射するためのＸ線を発生するように構成された第２Ｘ線管と、前記第１Ｘ線管からのＸ線を絞るための幅が第１範囲で可変の開口を有する第１Ｘ線コリメータと、前記第２Ｘ線管からのＸ線を絞るための幅が前記第１範囲よりも広い第２範囲で可変の開口を有する第２Ｘ線コリメータとを具備する。